(57)【特許請求の範囲】
【請求項１】
モータ４を備えた装置本体１と、蓋体２と、揮散性薬剤を有する回転体３を備え、
前記装置本体１は収納用開口部５を有する回転体収納部６を有する形態で、
前記蓋体２は、前記収納用開口部５に着脱自在で、その収納用開口部５を閉塞し回転体収納部６を密閉して密閉空間７を形成する形態で、
前記回転体３は、前記収納用開口部５から回転体収納部６に挿入、引き出し可能で、前記モータ４に着脱自在に取付けられる形態であることを特徴とする回転式薬剤拡散装置。
【請求項２】
回転体収納部６と蓋体２は、回転体３を動かないようにしっかりと支持する形態である請求項１記載の回転式薬剤拡散装置。
【請求項３】
モータ４を備えた装置本体１と、蓋体２と、揮散性薬剤を有する回転体３を備え、
前記装置本体１は収納用開口部５を有する回転体収納部６を有する形態で、
前記蓋体２は、前記収納用開口部５に着脱自在で、その収納用開口部５を閉塞し回転体収納部６を密閉して密閉空間７を形成する形態で、
前記回転体３は、前記モータ４で回転されるファン２１と、このファン２１に着脱自在に取付けられ、前記収納用開口部５から回転体収納部６に挿入、引き出し可能な薬剤保持体２２を有する形態であることを特徴とする回転式薬剤拡散装置。
【発明の詳細な説明】
【０００１】
【発明の属する技術分野】
本発明は、揮散性薬剤を有する回転体を回転することで揮散性薬剤を気中に放出する回転式薬剤拡散装置に関し、さらに詳しくは、運搬、保管、店頭陳列などの商品流通時及び、一度使用した後に使用を中止した休止時に揮散性薬剤が自然に気中に放出することを防止できる回転式薬剤拡散装置に関する。
【０００２】
【従来の技術】
特開２００１−２４７４０６号公報に開示された揮散性薬剤を気中に放出する薬剤拡散装置が提案されている。
この薬剤拡散装置は、モータを備えた装置本体と、薬剤含浸体を収納したカートリッジを備え、このカートリッジをモータで回転することで、その薬剤含浸体に含浸させた揮散性薬剤を気中に放出する回転式薬剤拡散装置である。
【０００３】
【発明が解決しようとする課題】
前述した従来の回転式薬剤拡散装置は、モータを停止した状態でも薬剤含浸体の揮散性薬剤が自然に気中に放出されてしまうので、製造現場から販売店まで運搬したり、倉庫などに保管したり、店頭陳列するなどの商品流通時に揮散性薬剤が自然に気中に放出されてしまう。
【０００４】
このことを防止するには、装置全体を密封状態に包装することが考えられるが、装置全体を密封状態に包装するのは面倒で包装コストが高くなる。
しかも、装置全体を密封状態に包装した薬剤拡散装置は、その包装を解いて使用するので、使用している途中でモータを停止して使用中止した休止時には揮散性薬剤が自然に気中に放出されることを防止できない。
このために、休止期間中に揮散性薬剤が順次気中に放出されて減少し、無駄である。
【０００５】
本発明は前述の課題に鑑みなされたものであり、その目的は、包装コストが安いこと、商品流通時に揮散性薬剤が自然に気中に放出されることがないこと、休止時にも揮散性薬剤が自然に気中に放出されることがなく、長期間休止した場合でも再度使用が可能で、揮散性薬剤が無駄にならないこと、を満足できるようにした回転式薬剤拡散装置を提供することである。
【０００６】
【課題を解決するための手段】
第１の発明は、モータ４を備えた装置本体１と、蓋体２と、揮散性薬剤を有する回転体３を備え、
前記装置本体１は収納用開口部５を有する回転体収納部６を有する形態で、
前記蓋体２は、前記収納用開口部５に着脱自在で、その収納用開口部５を閉塞し回転体収納部６を密閉して密閉空間７を形成する形態で、
前記回転体３は、前記収納用開口部５から回転体収納部６に挿入、引き出し可能で、前記モータ４に着脱自在に取付けられる形態であることを特徴とする回転式薬剤拡散装置である。
【０００７】
第２の発明は、第１の発明において回転体収納部６と蓋体２は、回転体３を動かないようにしっかりと支持する形態である回転式薬剤拡散装置である。
【０００８】
第３の発明は、モータ４を備えた装置本体１と、蓋体２と、揮散性薬剤を有する回転体３を備え、
前記装置本体１は収納用開口部５を有する回転体収納部６を有する形態で、
前記蓋体２は、前記収納用開口部５に着脱自在で、その収納用開口部５を閉塞し回転体収納部６を密閉して密閉空間７を形成する形態で、
前記回転体３は、前記モータ４で回転されるファン２１と、このファン２１に着脱自在に取付けられ、前記収納用開口部５から回転体収納部６に挿入、引き出し可能な薬剤保持体２２を有する形態であることを特徴とする回転式薬剤拡散装置である。
【０００９】
【作  用】
第１の発明によれば、回転体収納部６に回転体３を収容して収納用開口部５に蓋体２を取付けることで、その回転体３は密閉空間７内に収納された状態となる。
よって、商品流通時に揮散性薬剤が自然に気中に放出されることがない。
しかも、装置全体を密封状態に包装する必要がなく、包装コストが安い。
【００１０】
使用の途中で中止する場合には、回転体３をモータ４から外し、その回転体３を回転体収納部６に収納して蓋体２を取付けることで、前述のように揮散性薬剤が自然に気中に放出されることを防止できる。
よって、休止時にも揮散性薬剤が自然に気中に放出されることがなく、長期間休止した場合でも再度使用が可能で、揮散性薬剤が無駄にならない。
【００１１】
また、使用時には蓋体２を収納用開口部５から外し、回転体３を回転体収納部６から取り出し、その回転体３をモータ４に取付けて回転駆動することで揮散性薬剤を気中に放出できる。
よって、使用時に不用となる部品がなく、部品点数が多くならずに低価格である。
また、蓋体２を外し、回転体３を取り出し、取付けすれば良く、使用者が簡単に使用可能状態とすることができる。
しかも、家庭内廃棄物が生じないから、家庭内発生廃棄物を減少できる。
【００１２】
第２の発明によれば、商品流通時に回転体３が装置本体１に対してがたついたりしないから、回転体３が有する揮散性薬剤が脱落、回転体３の損傷などすることがない。
【００１３】
第３の発明によれば、回転体収納部６に薬剤保持体２２を収容して収納用開口部５に蓋体２を取付けることで、その薬剤保持体２２は密閉空間７内に収納された状態となる。
よって、商品流通時に揮散性薬剤が自然に気中に放出されることがない。
しかも、装置全体を密封状態に包装する必要がなく、包装コストが安い。
【００１４】
使用の途中で中止する場合には、薬剤保持体２２をファン２１から外し、その薬剤保持体２２を回転体収納部６に収納して蓋体２を取付けることで、前述のように揮散性薬剤が自然に気中に放出されることを防止できる。
よって、休止時にも揮散性薬剤が自然に気中に放出されることがなく、長期間休止した場合でも再度使用が可能で、揮散性薬剤が無駄にならない。
【００１５】
また、使用時には蓋体２を収納用開口部５から外し、薬剤保持体２２を回転体収納部６から取り出し、その薬剤保持体２２をファン２１に取付けて回転駆動することで揮散性薬剤を気中に放出できる。
よって、使用時に不用となる部品がなく、部品点数が多くならずに低価格である。
また、蓋体２を外し、薬剤保持体２２を取り出し、取付けすれば良く、使用者が簡単に使用可能状態とすることができる。
しかも、家庭内廃棄物が生じないから、家庭内発生廃棄物を減少できる。
【００１６】
【発明の実施の形態】
本発明の第１の実施の形態を図１と図２に基づいて説明する。
装置本体１と蓋体２と揮散性薬剤を有する回転体３とモータ４で回転式薬剤拡散装置を構成している。
前記モータ４は装置本体１に設けてある。
前記装置本体１は収納用開口部５を有する回転体収納部６を備えている。
前記蓋体２は収納用開口部５に着脱自在で、その収納用開口部５に蓋体２を取付けると収納用開口部５を閉塞して回転体収納部６を密閉して密閉空間７を形成する。
前記回転体３はモータ４で回転駆動されると共に、そのモータ４に着脱自在である。
例えば、モータ４の回転軸４ａに着脱自在に取付けられる。
前記回転体３は前記収納用開口部５から回転体収納部６に収納・取り出し可能である。
【００１７】
このようであるから、商品流通時には、図１に仮想線で示すように回転体収納部６に回転体３を収納し、収納用開口部５に蓋体２を取付けることで、その回転体収納部６が密閉されて密閉空間７を形成する。
よって、回転体３は密閉空間７内に収納されるので、その回転体３の揮散性薬剤が自然に気中に放出されることがない。
【００１８】
使用時には、蓋体２を外し、収納用開口部５から回転体３を引き出し、その回転体３を図１に実線で示すようにモータ４に連結する。
この状態でモータ４を駆動することで回転体３を回転することで、その回転体３が有する揮散性薬剤が気中に放出される。
【００１９】
前述のようにして使用している途中でモータ４を停止して使用を中止し休止する場合には、回転体３をモータ４から外し、その回転体３を回転体収納部６に収納すると共に、蓋体２を収納用開口部５に取付けて回転体収納部６を密閉することで、回転体３が密閉空間７に収納されるので、長期休止する場合でも揮散性薬剤が自然に気中に放出されることがなく、揮散性薬剤が無駄にならない。
【００２０】
前記蓋体２と回転体収納部６は回転体３を動かないようにしっかりと保持できる形態とすることが好ましい。
このようにすることで、回転体３を密閉空間７に収納した商品流通時に回転体３がガタつくことがない。
【００２１】
次に各部材の形態を説明する。
前記装置本体１は断面ほぼ下向きＵ字形状の外殻板１０と、この外殻板１０に固着した一側縦板１１、他側縦板１２と、その一側縦板１１，他側縦板１２、外殻板１０に亘って固着した下面板１３、中間横板１４と、この中間横板１４と外殻板１０の内面に亘って固着した一側中間縦板１５、他側中間縦板１６でモータ用室１ａと電池収納室１ｂと一側空洞部１ｃと他側空洞部１ｄを有する形状で、このモータ用室１ａにモータ４が取付けてあると共に、電池収納室１ｂに電池１７が収納され、この電池１７を電源としてモータ４が駆動される。このモータ４の回転軸４ａは他側中間縦板１６の穴１６ａから他側空洞部１ｄに突出している。
前記外殻板１０に切欠開口部１８が一側空洞部１ｃに開口して形成され、その一側空洞部１ｃが前記薬剤保持体収納部６を形成すると共に、切欠開口部１８が前記収納用開口部５を形成する。
前記他側縦板１２に他側空洞部１ｄに開口した第１通気口１９が形成され、外殻板１０に他側空洞部１ｄに開口した第２通気口２０が形成してある。
【００２２】
前記揮散性薬剤を有する回転体３は、前記第１通気口１９から他側空洞部１ｄに挿入、抜き出し自在である。
例えば、ファン２１に揮散性薬剤を含有した薬剤保持体２２を設けて回転体３としてある。
具体的には、前記ファン２１はリング形状の一側板２３とリング形状の他側板２４とに亘って複数のファンブレード２５を取付けたシロッコファンで、そのファンブレード２５の内側の凹陥部に薬剤保持体２２が設けてある。この薬剤保持体２２は通気性を有する。
前記一側板２３と一体に設けた駆動板２６が前記モータ４の回転軸４ａに着脱自在に連結される。例えば駆動板２６にスプライン孔２７を形成し、回転軸４ａにスプラインを形成してスプライン嵌合連結される。
【００２３】
このようであるから、モータ４で回転体３を回転すると矢印ａで示すように第１通気口１９から空気を吸い込み、その空気は薬剤保持体２２を流通して第２通気口２０から矢印ｂで示すように揮散性薬剤とともに気中に放出される。
【００２４】
前記蓋体２は、前記収納用開口部５に嵌合する形状で、この実施の形態では下部が収納用開口部５よりも小さく、上部が収納用開口部５よりも大きく、その蓋体２の収納用開口部５に接する外面２ａが斜面となったくさび形状で、収納用開口部５に押し込むことで外面２ａが収納用開口部５に密着する。
前記装置本体１、好ましくは収納用開口部５の開口縁部分を軟質材として若干圧縮弾性変形するようにしたり、収納用開口部５の開口縁部分又は蓋体２の外面２ａに気密材を設けることで、蓋体２が収納用開口部５に確実に密着するようにしても良い。
【００２５】
前記回転体収納部６の蓋体２と対向した部分は回転体３の一部分が嵌まり込む形状である。
例えば、一側空洞部１ｃの底部に支持体２８が取付けてあり、この支持体２８は回転体３の一部分が嵌合する凹陥部２９が形成してある。なお、この支持体２８は装置本体１と一体としても良い。
前記蓋体２の内側面（下面）２ｂは回転体３の一部分に接して支持する形状、例えば凹面形状である。
【００２６】
このようであるから、図１と図２に仮想線で示すように回転体３の下方の一部分が凹陥部２９に嵌合し、回転体３の上方の一部分が蓋体２の内側面２ｂで支持され、回転体３が動かないようにしっかりと支持される。
なお、図１と図２においては理解を容易とするために回転体３と凹陥部２９とを離隔して図示してある。
この場合、蓋体２の内側面２ｂ、凹陥部２９を軟質材としたり、クッション材を取付けたりすることで回転体３をより一層確実に支持できるようにしても良い。
また、回転体収納部６内、例えば支持体２８、蓋体２に用いる材質は、薬剤が付着浸透しないものが良く、浸透防止のコート剤を処理することもできる。
【００２７】
次に、揮散性薬剤を有する回転体３の他の実施形態を説明する。
図３に示すように、シロッコファンの外周面にリング状の薬剤保持体２２を取付ける。
図４と図５に示すように、シロッコファンのファンブレード２５間に薬剤保持体２２を取付ける。
図６〜図８に示すように、ファン２１をボス３０に複数の羽根３１を設けたプロペラファンとし、そのプロペラファンに薬剤保持体２２を取付ける。
具体的には図６に示すように、羽根３１の表面に薬剤保持体２２を取付ける。図７に示すように、羽根３１の外周にリング状の薬剤保持体２２を取付ける。図８に示すように、ボス３０の表面に薬剤保持体２２を取付ける。この場合にはボス３０を大径とすることが好ましい。
また、図示は省略するが薬剤を含有したファン成形体を回転体としても良い。
【００２８】
図９に示すように、薬剤保持体２２自体で回転体３とする。この場合には薬剤保持体２２を円形とすることが好ましい。
また、薬剤保持体２２のみではモータ４の回転軸４ａへの取付部への強度が不足することがあり、その場合には図９に示すように薬剤保持体２２に筒体３３を埋設などで設けてスプライン孔２７などの取付用孔とする。
なお、図示は省略するが通気性を有する容器内に薬剤保持体を充填などで設けて回転体３としても良い。
【００２９】
次に、本発明の第２の実施の形態を説明する。
この実施の形態は、揮散性薬剤を有する回転体３を、モータ４で回転駆動されるファン２１と、このファン２１に着脱自在に取付けた薬剤保持体２２を有する形態とする。
装置本体１の収納用開口部５を、前記薬剤保持体２２が収納・取り出し可能とすること、が第１の実施の形態と異なり、他の構成は第１の実施の形態とほぼ同様である。
【００３０】
例えば、図１における回転体３をファン２１の内側の凹陥部に薬剤保持体２２を着脱自在に取付け、この薬剤保持体２２を収納用開口部５から収納・取り出し自在とする。
また、図３、図７におけるリング状の薬剤保持体２２をファン２１の外周に着脱自在に取付ける。
【００３１】
本発明の薬剤保持体２２に用いる揮散性薬剤としては、常温、送風などの条件で揮散する殺虫剤、忌避剤、害虫成長制御剤、芳香消臭剤、消臭剤、防カビ剤、防菌剤などが挙げられる。
【００３２】
本発明の薬剤保持体２２は、前記揮散性薬剤を含有する担持体（粉剤、粒剤など）や担持体の成形体（ネット、シート、プレート、多孔体、繊維体、綿体、スポンジ体など）、またはそれらの収納体（通気性容器、通気性袋など）である。また、薬剤保持体は、その形態、材質を任意に設定することができる。簡単な構造で、通気性の大きいものが好ましい。
例えば、通気孔を有する容器形状、網形状、ハニカム形状、すのこ形状、格子形状、開孔形状などの構造が挙げられる。材質は、例えば、紙、合成樹脂、セラミック、繊維などの公知のものが使用できる。
【００３３】
前記装置本体１は回転体３が回転自在に収納される他側空洞部１ｄを有する形状としたが、この他側空洞部１ｄを設けずに回転体３全体が装置本体１から突出するようにしても良い。
例えば、図１０に示すように装置本体１をモータ用室１ａ、電池収納室１ｂ、一側空洞部１ｃのみを有する形状とし、モータ４の回転軸４ａを装置本体１の外面から突出させ、その突出した部分に回転体３を着脱自在に取付ける。
この場合、モータ用室１ａを形成せずにモータ４が外部に露出するようにしても良い。
【００３４】
【発明の効果】
請求項１に係る発明によれば、回転体収納部６に回転体３を収容して収納用開口部５に蓋体２を取付けることで、その回転体３は密閉空間７内に収納された状態となる。
よって、商品流通時に揮散性薬剤が自然に気中に放出されることがない。
しかも、装置全体を密封状態に包装する必要がなく、包装コストが安い。
【００３５】
使用の途中で中止する場合には、回転体３をモータ４から外し、その回転体３を回転体収納部６に収納して蓋体２を取付けることで、前述のように揮散性薬剤が自然に気中に放出されることを防止できる。
よって、休止時にも揮散性薬剤が自然に気中に放出されることがなく、長期間休止した場合でも再度使用が可能で、揮散性薬剤が無駄にならない。
【００３６】
また、使用時には蓋体２を収納用開口部５から外し、回転体３を回転体収納部６から取り出し、その回転体３をモータ４に取付けて回転駆動することで揮散性薬剤を気中に放出できる。
よって、使用時に不用となる部品がなく、部品点数が多くならずに低価格である。
また、蓋体２を外し、回転体３を取り出し、取付けすれば良く、使用者が簡単に使用可能状態とすることができる。
しかも、家庭内廃棄物が生じないから、家庭内発生廃棄物を減少できる。
【００３７】
請求項２に係る発明によれば、商品流通時に回転体３が装置本体１に対してがたついたりしないから、回転体３が有する揮散性薬剤が脱落、回転体３の損傷などすることがない。
【００３８】
請求項３に係る発明によれば、回転体収納部６に薬剤保持体２２を収容して収納用開口部５に蓋体２を取付けることで、その薬剤保持体２２は密閉空間７内に収納された状態となる。
よって、商品流通時に揮散性薬剤が自然に気中に放出されることがない。
しかも、装置全体を密封状態に包装する必要がなく、包装コストが安い。
【００３９】
使用の途中で中止する場合には、薬剤保持体２２をファン２１から外し、その薬剤保持体２２を回転体収納部６に収納して蓋体２を取付けることで、前述のように揮散性薬剤が自然に気中に放出されることを防止できる。
よって、休止時にも揮散性薬剤が自然に気中に放出されることがなく、長期間休止した場合でも再度使用が可能で、揮散性薬剤が無駄にならない。
【００４０】
また、使用時には蓋体２を収納用開口部５から外し、薬剤保持体２２を回転体収納部６から取り出し、その薬剤保持体２２をファン２１に取付けて回転駆動することで揮散性薬剤を気中に放出できる。
よって、使用時に不用となる部品がなく、部品点数が多くならずに低価格である。
また、蓋体２を外し、薬剤保持体２２を取り出し、取付けすれば良く、使用者が簡単に使用可能状態とすることができる。
しかも、家庭内廃棄物が生じないから、家庭内発生廃棄物を減少できる。
【図面の簡単な説明】
【図１】本発明の第１の実施の形態を示す組立て状態の全体断面図である。
【図２】図１のＡ−Ａ断面図である。
【図３】回転体の第２の実施の形態を示す断面図である。
【図４】回転体の第３の実施の形態を示す断面図である。
【図５】図４のＢ−Ｂ断面図である。
【図６】回転体の第４の実施の形態を示す断面図である。
【図７】回転体の第５の実施の形態を示す断面図である。
【図８】回転体の第６の実施の形態を示す断面図である。
【図９】回転体の第７の実施の形態を示す断面図である。
【図１０】装置本体の他の実施形態を示す断面図である。
【符号の説明】
１…装置本体、２…蓋体、３…回転体、４…モータ、５…収納用開口部、６…回転体収納部、７…密閉空間、２１…ファン、２２…薬剤保持体。
【図１】
0003944840.tif 000002
【図２】
0003944840.tif 000003
【図３】
0003944840.tif 000004
【図４】
0003944840.tif 000005
【図５】
0003944840.tif 000006
【図６】
0003944840.tif 000007
【図７】
0003944840.tif 000008
【図８】
0003944840.tif 000009
【図９】
0003944840.tif 000010
【図１０】
0003944840.tif 000011